(57)【要約】【課題】地震などによる建物躯体の変形が小さい場合にも大きなエネルギー吸収を可能とし、大きな減衰力を発揮できる建物の制振装置を提供する。【解決手段】フレーム２に設けられた一対の支持部３，３によって振り子部材４が支持されており、フレーム２に、制振ボックス５が前記振り子部材４の端部に対向して取り付けられており、制振ボックス５は、ボックス１５内に取り付けられた一対の制振ゴム１６，１６と、これら制振ゴム１６，１６間に挿入されかつ該一対の制振ゴム１６，１６に固着されたプレート１７とを備えており、このプレート１７と前記振り子部材４の端部とが連結されている。【選択図】図１
2006132182.tif 000002
【特許請求の範囲】
【請求項１】
フレームに一対の支持部が対向して設けられ、この一対の支持部によって振り子部材が支持されており、この振り子部材は、震動によって一対の支持部が変位した場合に、該一対の支持部間の略中央部を中心として振れるように構成され、
前記フレームに、制振ボックスが前記振り子部材の端部に対向して取り付けられており、
前記制振ボックスは、箱状に形成されて前記フレームに取り付けられたボックスと、このボックス内に取り付けられた一対の制振ゴムと、これら制振ゴム間に挿入されかつ該一対の制振ゴムに固着されたプレートとを備えており、
このプレートと前記振り子部材の端部とが連結されていることを特徴とする制振装置。
【請求項２】
請求項１に記載の制振装置において、
前記プレートの一端部は前記ボックスから突出しており、この突出している一端部が前記振り子部材の端部に連結されていることを特徴とする制振装置。
【請求項３】
請求項１または２に記載の制振装置において、
前記ボックスは、対向する一対の側板と、該側板の両端部間にそれぞれ配置され、該側板に取り外し可能に対向して取り付けられた一対の端板とから構成され、前記一対の側板の内面にそれぞれ制振ゴムが固着されていることを特徴とする制振装置。
【請求項４】
請求項３に記載の制振装置において、
前記フレームには、前記制振ボックスのボックスを設置する設置部と、この設置部に設置された前記ボックスの両端の端板にそれぞれ当接固定される固定板とが設けられていることを特徴とする制振装置。
【請求項５】
請求項１〜４のいずれか一項に記載の制振装置において、
前記フレームは矩形枠状に形成されており、その外周部には、建物の壁に形成された開口部の内周面に当接固定される固定面が形成されていることを特徴とする制振装置。
【発明の詳細な説明】
【技術分野】
【０００１】
本発明は建物等に組み込まれる制振装置に関する。
【背景技術】
【０００２】
従来、建物の制振装置の一例として、特許文献１に記載のものが知られている。この特許文献１に記載の制振装置は、柱と梁に囲まれた架構の内部空間に取付用ガセット等を介して設置されるブレースの途中に、ダンパ（制振部材）を介在させて、このダンパによって、地震等の際の振動エネルギーを吸収するものであり、ブレース型制振装置と称されている。
【特許文献１】特開２００３−４９５５７号公報
【発明の開示】
【発明が解決しようとする課題】
【０００３】
しかし、上記の制振装置では、地震などによる建物の変形が小さい場合には制振部材（エネルギー吸収材料）に伝えられる変形も小さいため、制振部材のエネルギー吸収量が小さく、建物の振動を減衰する減衰力も小さくなり、制振構造があまり有効に働かない。そのため、制振部材の配置箇所を多くしなければならなかった。
【０００４】
本発明は上記事情に鑑みてなされたものであり、地震などによる建物の変形が小さい場合にも大きなエネルギー吸収を可能とし、大きな減衰力を発揮できる制振装置を提供することを課題としている。
【課題を解決するための手段】
【０００５】
上記課題を解決するために、請求項１に記載の発明は、例えば図１〜図５に示すように、フレーム２に一対の支持部３，３が対向して設けられ、この一対の支持部３，３によって振り子部材４が支持されており、この振り子部材４は、震動によって一対の支持部３，３が変位した場合に、該一対の支持部３，３間の略中央部を中心として振れるように構成され、
前記フレーム２に、制振ボックス５が前記振り子部材４の端部に対向して取り付けられており、
前記制振ボックス５は、箱状に形成されて前記フレーム２に取り付けられたボックス１５と、このボックス１５内に取り付けられた一対の制振ゴム１６，１６と、これら制振ゴム１６，１６間に挿入されかつ該一対の制振ゴム１６，１６に固着されたプレート１７とを備えており、
このプレート１７と前記振り子部材４の端部とが連結されていることを特徴とする。
【０００６】
ここで、前記フレーム２は例えば矩形枠状に形成され、建物の壁、床、対向する柱、対向する梁等に取り付けられる。フレーム２を取り付ける壁は、通常の壁の他、腰壁や垂れ壁でもよい。建物としては、在来の木材や鉄骨の軸組みによるもの、パネル工法やツーバイフォー工法によるもの、直方体状のユニットを組み立ててなるユニット工法によるもの等が挙げられる。ユニットは木材を直方体状に組み立てるものでもよく、鉄骨を直方体状に組み立てるものであってもよい。
建物が在来の軸組みによって構築される場合、フレーム２は対向する柱や壁、梁等に取り付けることができる。柱間には壁材を設けることによって振り子部材を覆い隠すことができる。また、建物が鋼製の柱や梁によって構築される場合でも、フレーム２を取り付けることができる。さらに、建物がパネル工法によって構築される場合、壁パネル内にフレームを取り付ければよい。また、壁パネルのほかにも、床パネルや屋根パネルにフレーム２を取り付けてもよい。なお、パネル工法は、壁や床、屋根といった構成要素を予め工場にてパネル化しておき、施工現場でこれらのパネルを組立てることによって建物を構築する工法である。また、建物がツーバイフォー工法によって構築される場合、壁内にある骨組みを構成する木材にフレームを取り付けてもよい。
【０００７】
また、制振ボックス５は２個用意しておき、それぞれを振り子部材４の両端部に対向するフレーム２にそれぞれ取り付けるのが望ましいが、制振ボックス５を振り子部材４の一方の端部に対向するフレーム２のみに１個取り付けてもよい。
また、制振ゴム１６は板状のものが望ましく、一対の制振ゴム１６，１６の対向する面に前記プレート１７を固着し、それぞれの制振ゴム１６，１６の外側を向く面をボックス１５の対向する内面にそれぞれ固着するのが望ましい。
なお、上記のような制振装置１は、新築の建物に組み込んでもよいし、既設の建物にリフォームとして組み込んでもよい。
【０００８】
請求項１に記載の発明によれば、建物の小さな変形から制振機能を有効に働かせるために、てこ機構を用いて建物の変形を増幅して制振ボックス５に伝達している。
すなわち、本発明に係る制振装置１を取り付けた建物に地震等の震動によって変形が生じると、この建物に取り付けられたフレーム２を介して一対の支持部３，３が変位する。一対の支持部３，３が変位することによって、振り子部材４が一対の支持部３，３間の略中央部を中心として振り子のように振れ、この振り子部材４の端部は振れが増幅され、これによって、前記一対の支持部３，３の変位が増幅される。そして、振り子部材４の端部と制振ボックス１５のプレート１７とが連結されており、このプレート１７は制振ゴム１６，１６間に挿入されかつ該一対の制振ゴム１６，１６に固着されているので、この制振ゴム１６，１６の変形を増幅できる。したがって、建物の小さな変形から制振機能を有効に働かせることができる。
また、制振ゴム１６の変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【０００９】
また、制振ゴム１６，１６に固着されているプレート１７を備えた制振ボックス５がフレーム２に振り子部材４に対向して取り付けられているので、振り子部材４と制振ボックス５のプレート１７とを容易に連結できる。
また、制振ボックス５を別途製造しておき、この制振ボックス５をフレーム２に取り付けることができるので、制振装置１の組立てを簡単に行える。さらに、フレーム２を建物に取り付けることによって、制振装置１の取り付けを簡単に行える。
【００１０】
請求項２に記載の発明は、請求項１に記載の制振装置において、
前記プレート１７の一端部は前記ボックス１５から突出しており、この突出している一端部が前記振り子部材４の端部に連結されていることを特徴とする。
【００１１】
請求項２に記載の発明によれば、ボックス１５から突出しているプレート１７の一端部が振り子部材４の端部に連結されているので、振り子部材４の端部をボックス１５内の制振ゴム１６に直接固着しないでも、制振ゴム１６の機能を振り子部材４に作用させることができる。振り子部材４の端部をボックス１５内の制振ゴム１６に直接固着するのは手間がかかる作業となるが、ボックス１５から突出しているプレート１７の一端部に、振り子部材４の端部を連結するのは容易な作業となる。
【００１２】
請求項３に記載の発明は、請求項１または２に記載の制振装置において、
前記ボックス１５は、対向する一対の側板１５ａ，１５ａと、該側板１５ａ，１５ａの両端部間にそれぞれ配置され、該側部１５ａ，１５ａに取り外し可能に対向して取り付けられた一対の端板１５ｂ，１５ｂとから構成され、前記一対の側板１５ａ，１５ａの内面にそれぞれ制振ゴム１６，１６が固着されていることを特徴とする。
【００１３】
請求項３に記載の発明によれば、一対の側板１５ａ，１５ａから一対の端板１５ｂ，１５ｂを取り外すことによって、側板１５ａ，１５ａの内面に容易に制振ゴム１６，１６を固着でき、この状態で一対の側板１５ａ，１５ａ間にプレート１７を制振ゴム１６，１６に対向させて配置したうえで、一対の側板１５ａ，１５ａの端部間に端板１５ｂ，１５ｂを配置して該端板１５ｂ，１５ｂを側板１５ａ，１５ａに取り付けることによって、制振ゴム１６，１６でプレート１７を挟み付け、該プレート１７に制振ゴム１６，１６を固着できる。
また、ボックス１５には底板がないため、その分、重量を軽減できる。
【００１４】
請求項４に記載の発明は、請求項３に記載の制振装置において、
前記フレーム２には、前記制振ボックス５のボックス１５を設置する設置部９と、この設置部９に設置された前記ボックス１５の両端の端板１５ｂ，１５ｂにそれぞれ当接固定される固定板８ａ，８ａとが設けられていることを特徴とする。
【００１５】
なお、固定板８ａ，８ａをボックス１５の端板１５ｂ，１５ｂに固定する場合、例えば、ボルト締め等によって行えばよい。
【００１６】
請求項４に記載の発明によれば、設置部９に制振ボックス５を安定的に設置することができ、また、この設置された制振ボックス５の両端の端板１５ｂ，１５ｂに固定板８ａ，８ａを当接固定することによって、フレーム２に制振ボックス５を容易かつ確実に取り付けることができる。
【００１７】
請求項５に記載の発明は、請求項１〜４のいずれか一項に記載の制振装置において、
前記フレーム２は矩形枠状に形成されており、その外周部には、建物の壁に形成された開口部３４の内周面に当接固定される固定面６ｃ，７ｃが形成されていることを特徴とする。
【００１８】
請求項５に記載の発明によれば、フレーム２の外周面に固定面６ｃ，７ｃが形成されているので、この固定面６ｃ，７ｃを建物の壁に形成された開口部３４の内周面に当接して固定することによって、フレーム２を壁に容易かつ確実に取り付けることができる。
【発明の効果】
【００１９】
本発明によれば、本発明によれば、フレームに一対の支持部が対向して設けられ、この一対の支持部によって振り子部材が支持されており、この振り子部材は、建物の震動によってフレームを介して一対の支持部が変位した場合に、該一対の支持部間の略中央部を中心として振れ、この振り子部材の端部は振れが増幅される。そして、振り子部材の端部と制振ボックスのプレートとが連結されており、この連結プレートは制振ゴム間に挿入されかつ該一対の制振ゴムに固着されているので、この制振ゴムの変形を増幅でき、よって、建物の小さな変形から制振機能を有効に働かせることができる。
また、制振ゴムの変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【００２０】
また、制振ボックスがフレームに振り子部材に対向して取り付けられており、この制振ボックスのプレートと振り子部材とが連結されているので、振り子部材の端部の振動を確実に、制振ボックス内の制振ゴムに伝達できる。さらに、制振ボックスを別途製造しておき、この制振ボックスをフレームに取り付けることができるので、制振装置の組立てを簡単に行える。また、フレームを建物に取り付けることによって、制振装置に取り付けを簡単に行える。
【発明を実施するための最良の形態】
【００２１】
以下、図面を参照して本発明の実施の形態について説明する。
図１は本発明に係る制振装置１の一例を示す正面図である。この制振装置１はフレーム２と、このフレーム２に対向して設けられた一対の支持部３，３と、この支持部３，３によって支持された振り子部材４と、前記フレーム１に取り付けられた制振ボックス５とを備えている。
【００２２】
前記フレーム２は、左右一対の縦フレーム６，６と、上下一対の横フレーム７，７とを矩形枠状に組み立てることによって形成されている。
一対の縦フレーム６，６は平行離間して配置されており、それぞれ帯板状の取付板６ａと、この取付板６ａに直角に立設された帯板状の立設板６ｂとから構成され、断面Ｔ字状に形成されている。
取付板６ａは壁（例えば壁パネル）に形成された矩形状の開口部の内周面に取り付けられるものであり、その外側を向く面は前記開口部の内周面に当接固定される固定面６ｃとされている。また、取付板６ａには、図示しないビス孔が上下に所定で２列形成されている。そして、取付板６ａは、その固定面６ｃを開口部の内周面に当接固定したうえで、ビス孔にビスを通して開口部の内周面にねじ込むことによって、該内周面に取り付けられるようになっている。
また、立設板６ｂには、上下に所定間隔で孔が複数形成されている。これら孔は、立設板６ｂに支持部３をボルト６ｄによって取り付ける際に使用される孔である。
【００２３】
また、一対の横フレーム７，７は平行離間して配置されており、それぞれ帯板状の取付板７ａを有している。取付板７ａは壁（例えば壁パネル）に形成された矩形状の開口部の内周面取り付けられるものであり、その外側を向く面は前記開口部の内周面に当接固定される固定面７ｃとされている。また、取付板７ａの左右両端部には、図２に示すように、プレート７ｂ，７ｂが厚さ方向に対向して設けられており、これらプレート７ｂ，７ｂの基端部間には、前記縦フレーム６の立設板６ｂの端部が挿入されている。プレート７ｂ，７ｂの基端部と、立設板の端部とにはそれぞれ孔が形成されており、これら孔にボルト７ｄが挿通され、この挿通されたボルト７ｄにナットを螺合して締め付けることによって、縦フレーム６と横フレーム７とが連結されている。
【００２４】
また、前記プレート７ｂ，７ｂの先端部間には、平面視Ｔ字状をなす、固定部材８の基端部が挿入され、溶接等によって固定されている。固定部材８，８の先端部にある固定板８ａ，８ａ間は、設置部９とされており、この設置部９に前記制振ボックス５が設置されるようになっている。固定板８ａ，８ａは、設置部９に設置された制振ボックス５の両端の端板にそれぞれ当接固定されるものであり、それぞれ４つのボルト孔８ｂ・・・が形成されている。
【００２５】
前記縦フレーム６，６の立設板６ｂ，６ｂには、支持部３，３が設けられている。すなわち、支持部３は、図４に示すように、２枚の支持板３ａ，３ａを備えている。支持板３ａは、略二等辺三角形状に形成されており、その頂部と対向する辺を上下に向け、かつ、頂部を内側に向けて配置されている。支持板３ａは、略二等辺三角形状に形成されているので、その長手方向（上下方向）中央部が端部側より幅広に形成されている。したがって、２枚の支持板３ａ，３ａで構成された支持部３もその長手方向（上下方向）中央部が端部側より幅広に形成されている。さらに、一対の支持部３，３は、それぞれの頂部を振り子部材４の中央部において対向させて設けられている。
また、一対の支持板３ａ，３ａの上下に沿う辺部間には、前記立設板６ｂが挿入されている。そして、一対の支持板３ａ，３ａの上下に沿う辺部と、前記立設板６ｂとにはそれぞれ孔が上下に所定間隔で複数形形されており、これら孔に、図１に示すように、ボルト６ｄが挿通され、この挿通されたボルト６ｄにナットを螺合して締め付けることによって、立設板６ｄに一対の支持板３ａ，３ａ、すなわち支持部３が設けられている。
【００２６】
前記一対の支持部３，３の長手方向中央部すなわち対向する頂部によって振り子部材４の長手方向中央部が支持されており、この振り子部材４は、震動によって一対の支持部３，３が変位した場合に、該一対の支持部３，３間の略中央部を中心として振れるように構成されている。
すなわち、振り子部材４は板状でかつ略菱形状に形成されており、長手方向を上下に向けて配置されている。振り子部材４の中央部の左半分は、一方の支持部３の支持板３ａ，３ａ間に挟まれており、右半分は他方の支持部３の支持板３ａ，３ａ間に挟まれている。
また、一方の支持部３の支持板３ａ，３ａの頂部には孔が形成されており、他方の支持部３の支持板３ａ，３ａの頂部にも孔が形成されている。一方、振り子部材４の中央部には、左右に離間して孔が形成されており、これら孔のうち左側の孔４ａは左右に長い長孔となっている。
そして、一方の支持部の支持板３ａ，３ａに形成された孔と、振り子部材４の中央部に形成された一方の長孔とには、軸１０が振り子部材４を回転可能とするように、かつ、長穴の長さ方向に摺動可能となるように挿通されている。この軸１０は例えば先端部にねじ部を有するボルト１０で形成されており、このボルト１０は前記孔に挿通され、これら孔に挿通されたボルト１０にはナットが螺合されている。
また、他方の支持部の支持板３ａ，３ａに形成された孔と、振り子部材４の中央部に形成された他方の孔とには、軸１０が振り子部材４を回転可能とするように挿通されている。この軸１０も先端部にねじ部を有するボルト１０で形成されており、このボルト１０は前記孔に挿通され、これら孔に挿通されたボルト１０にはナットが螺合されている。
これによって、振り子部材４は、一対の支持部３，３によって軸１０，１０を介して支持されており、この振り子部材４は、震動によって一対の支持部３，３が変位した場合に、該一対の支持部３，３間の略中央部、言い換えれば、軸１０，１０間の中央部を中心として振れるように構成されている。
【００２７】
また、前記フレーム２には、制振ボックス５が前記振り子部材４の端部に対向して取り付けられている。
すなわち、図３に示すように、制振ボックス５は、フレーム２の横フレーム７に設けられた設置部９（図２参照）に取り付けられる箱状のボックス１５と、このボックス１５内に取り付けられた一対の制振ゴム１６，１６と、これら制振ゴム１６，１６間に挿入されかつ該一対の制振ゴム１６，１６に固着されたプレート１７とを備えている。
ボックス１５は、対向する一対の側板１５ａ，１５ａと、該側板１５ａ，１５ａの両端部間にそれぞれ配置され、該側板１５ａ，１５ａに取り外し可能に対向して取り付けられた一対の端板１５ｂ，１５ｂとから構成されている。一対の側板１５ａ，１５ａの両端部には穴が形成されており、一対の端板１５ｂ，１５ｂの側端面には、ボルト孔が形成されている。そして、これら孔とボルト孔を合わせたうえで、孔にボルト１８を挿入してボルト孔に螺合して締め付けることによって、側板１５ａ，１５ａと端板１５ｂ，１５ｂとがボックス状に組み立てられており、ボルト１８を取り外すことによって、側板１５ａ，１５ａから端板１５ｂ，１５ｂを取り外せるようになっている。また、端板１５ｂにはそれぞれ４つのボルト孔１５ｃが形成されている。
【００２８】
また、側板１５ａ，１５ａの対向する内面にはそれぞれ制振ゴム１６，１６が接着剤等によって固着されている。これら制振ゴム１６，１６間には、プレート１７が挿入されており、該プレート１７の表面は前記制振ゴム１６，１６に固着されている。
プレート１７の一端部（上端部）は、ボックス１５より上方に突出しており、この突出している一端部には、３つの孔１７ａ・・・が形成されている。
【００２９】
そして、上記のように構成された制振ボックス５は、図５に示すように、ボックス１５を横フレーム７に設けられた設置部９に設置したうえで、固定板８ａ，８ａをボックス５の端板１５ｂ，１５ｂに当接して、ボルト１９を固定板８ａ，８ａの孔８ｂ・・・から挿入して端板１５のボルト孔１５ｃ・・・に螺合して締め付けることによって、設置部９に位置決めされて固定されている。
【００３０】
さらに、前記制振ボックス５のプレート１７と前記振り子部材４の端部とが連結されている。すなわちまず、振り子部材４の端部には、孔が３個横方向に所定間隔で形成されている。この振り子部材４の端面は、制振ボックス５のプレート１７の端面に当接されている。そして、振り子部材４の端部とプレート１７の端部とを挟み付けるようにしてプレート２０，２０が設けられている。プレート２０，２０には、その上部と下部とにそれぞれ３つの孔が横方向に所定間隔で形成されており、上部の孔と振り子部材の端部に形成された孔とにボルト２１を挿通し、ナットを螺合して締め付け、下部の孔とプレート１７に形成された孔とにボルト２１を挿通し、ナットを螺合して締め付けることによって、制振ボックス５のプレート１７と振り子部材４の端部とがプレート２０，２０を介して連結されている。
【００３１】
上記のような構成の制振装置１は、例えば図６に示すように、住宅の壁を構成する壁パネル３０に組み込まれる。すなわち、壁パネル３０は、例えば、上部の小壁パネル３１と下部の腰壁パネル３２とを左右の柱材３３，３３で連結してなるものであり、その中央部には、開口部３４が形成されている。この開口部３４は矩形状に形成されており、その内側に制振装置１のフレーム２が挿入されている。
フレーム２を構成する一対の縦フレーム６，６の取付板６ａ，６ａの外側を向く面が固定面６ｃとされており、この固定面６ｃが開口部３４の縦方向に沿う内周面に当接固定され、取付板６ａ，６ａにビスを通して開口部の縦方向に沿う内周面にねじ込むことによって、該縦フレーム６，６が縦方向に沿う内周面に取り付けられている。
同様に、フレーム２を構成する一対の横レーム７，７の取付板７ａ，７ａの外側を向く面が固定面７ｃとされており、この固定面７ｃが開口部３４の横縦方向に沿う内周面に当接固定され、取付板７ａ，７ａにビスを通して開口部の縦方向に沿う内周面にねじ込むことによって、該横フレーム７，７が横方向に沿う内周面に取り付けられている。
このようにして、壁パネル３０の開口部３４に制振装置３０が組み込まれることによって、制振壁パネル３５が構成されている。
【００３２】
上記のような制振壁パネル３５では、まず、この制振壁パネル３５を組み込んだ建物に地震等の横揺れ震動によって変形が生じると、制振壁パネル３５の矩形状のフレーム２が略平行四辺形状に変形する。つまり、フレーム２の横フレーム７，７が左右にずれるようにして移動するとともに、縦フレーム６，６が横方向に傾斜することによって矩形状のフレーム２が略平行四辺形状に変形する。
フレーム２が略平行四辺形状に変形すると、一対の支持部３，３が斜め上下に互いに離間するようにして変位する。
一対の支持部３，３が変位することによって、振り子部材４が一対の支持部３，３間の略中央部を中心として振り子のように振れ、この振り子部材４の端部は振れが増幅され、これによって、前記一対の支持部３，３の変位が増幅される。
そして、振り子部材４の端部と制振ボックス５のプレート１７とが連結されており、この連結プレート１７は制振ゴム１６，１６間に挿入されかつ該一対の制振ゴム１６，１６に固着されているので、この制振ゴム１６，１６の変形を増幅できる。したがって、建物の小さな変形から制振機能を有効に働かせることができる。
また、制振ゴム１６，１６の変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【００３３】
上記のような制振装置１を備えた制振壁パネル３５は、例えば、図７に示すように、３枚連続して設けることによって、制振効果を高めることができる。この場合、壁パネル３０を構成する柱材３３は、隣接する壁パネル３０，３０どうしで共通としてもよい。
また、建物を構成する複数の壁パネルのうちの所望の壁パネルを、制振壁パネル３５と交換することによって、制振構造を容易かつ確実にしかも効果的に建物に導入できる。つまり、地震の際にもっとも揺れるような箇所にある壁部分に制振装置を容易に導入できる。
さらに、制振装置１が取り付けられた制振壁パネル３５は、予め工場等で製造しておくことができるので、現場ではこの制振壁パネル３５を設置することによって、建物に制振構造を容易に導入することができ、現場での施工が簡単となる。
【００３４】
また、制振ボックス１５が振り子部材４に対向して横フレーム７に取り付けられているので、振り子部材４と制振ボックス１５のプレート１７とを容易に連結できる。
さらに、制振ボックス１５を別途製造しておき、この制振ボックス１５を横フレーム７に取り付けることができるので、制振装置１の組立てを簡単に行える。
また、ボックス１５から突出しているプレート１７の一端部が振り子部材４の端部に連結されているので、振り子部材４の端部をボックス１５内の制振ゴム１６に直接固着しないでも、制振ゴム１６の機能を振り子部材４に作用させることができる。振り子部材４の端部をボックス１５内の制振ゴム１６に直接固着するのは手間がかかる作業となるが、ボックス１５から突出しているプレート１７の一端部に、振り子部材４の端部を連結するのは容易な作業となる。
【００３５】
加えて、制振ボックス１５を構成する一対の側板１５ａから一対の端板１５ｂを取り外すことによって、側板１５ａの内面に容易に制振ゴム１６を固着でき、この状態で一対の側板１５ａ，１５ａ間にプレート１７を制振ゴム１６，１６に対向させて配置したうえで、一対の側板１５ａ，１５ａの端部間に端板１５ｂ，１５ｂを配置して該端板１５ｂ，１５ｂを側板１５ａ，１５ａに取り付けることによって、制振ゴム１６，１６でプレート１７を挟み付け、該プレート１７に制振ゴム１６，１６を固着できる。また、ボックス１５には底板がないため、その分、重量を軽減できる。
【００３６】
また、横フレーム７に設置部９が設けられているので、この設置部９に制振ボックス５を安定的に設置することができ、また、この設置された制振ボックス５の両端の端板１５ｂ，１５ｂに固定板８ａ，８ａを当接固定することによって、フレーム１に制振ボックス５を容易かつ確実に取り付けることができる。
さらに、フレーム２の外周面に固定面６ｃ，７ｃが形成されているので、この固定面６ｃ，７ｃを壁パネルの開口部３４の内周面に当接して固定することによって、フレーム２を壁パネルに容易かつ確実に取り付けることができる。
【００３７】
また、振り子部材４の長手方向中央部が一対の支持部３，３の長手方向中央部によって支持されているので、振り子部材４と支持部３，３とにはその長手方向中央部に荷重が集中するが、振り子部材４は、その長手方向中央部が端部側より幅広に形成されており、支持部材３，３は、その長手方向中央部が端部側より幅広に形成されているので、それらの部分に荷重が集中しても十分耐え得るものとなるとともに、端部側は中央部より幅狭であるので、その分、振り子部材４と支持部３，３の材料軽減を図ることができる。
また、振り子部材４が略菱形状に形成されており、その中央部を境として対称的となるので、振り子部材４が、一対の支持部３，３間の略中央部を中心として振れる際のバランスがよくなる。
さらに、略二等辺三角形状に形成された一対の支持部３，３の頂部が振り子部材４の中央部において対向させて設けられているので、該頂部によって、振り子部材４の中央部を確実に支持できる。
また、一対の支持部３，３の頂部に、振り子部材４の中央部２箇所がそれぞれ支持されているので、この振り子部材４を、一対の支持部３，３間の略中央部を中心として振れるように構成することができる。
【００３８】
また、振り子部材４の中央部の右半分は一方の支持部３の一対の支持板３ａ，３ａ間に挟まれており、左半分は他方の支持部３の一対の支持板３ａ，３ａ間に挟まれているので、振り子部材４が、一対の支持部３，３間の略中央部を中心として振れる際に、該振り子部材４の中央部を一対の支持板３ａ，３ａによって振れ方向に案内することができる。よって、振り子部材４の振れをスムーズにすることができる。
加えて、振り子部材４の中央部に形成された一対の孔にそれぞれ挿入された軸１０，１０によって該振り子部材４を支持しており、これら軸１０，１０は一対の支持部３，３のそれぞれに設けられているので、振り子部材４を一対の支持部３，３によって該一対の支持部３，３間の略中央部を中心として振れるように構成することができるとともに、振り子部材４の振れがスムーズなものとなる。
さらに、一対の支持部３，３が変位することによって、振り子部材４が一対の支持部３，３間の略中央部を中心として振り子のように振れる際に、一対の支持部３，３にそれぞれ設けられている軸１０，１０間の距離が若干が増減するが、これら軸１０，１０が挿入されている一対の孔のうち、左側の孔は長孔４ａとなっているので、この長孔４ａによって前記軸１０，１０間の距離の増減を吸収して、振り子部材４をスムーズに振れさすことができる。
【図面の簡単な説明】
【００３９】
【図１】本発明に係る制振装置の一例を示すもので、その正面図である。
【図２】同、制振装置の設置部を示す斜視図である。
【図３】同、制振装置の制振ボックスを示す斜視図である。
【図４】同、制振装置の支持部と振り子部材を示す斜視図である。
【図５】同、制振ボックスと振り子部材との連結部を示す斜視図である。
【図６】本発明に係る制振装置を備えた制振壁壁パネルを示す正面図である。
【図７】図６に示す制振壁パネルを連設した状態を示す正面図である。
【符号の説明】
【００４０】
１  制振装置
２  フレーム
３  支持部
３ａ  支持板
４  振り子部材
５  制振ボックス
６  縦フレーム
７  横フレーム
８ａ  固定板
９  設置部
１０  軸
１５  ボックス
１５ａ  側板
１５ｂ  端板
１６  制振ゴム
１７  プレート
３０  壁パネル
３４  開口部
３５  制振壁パネル
【図１】
2006132182.tif 000003
【図２】
2006132182.tif 000004
【図３】
2006132182.tif 000005
【図４】
2006132182.tif 000006
【図５】
2006132182.tif 000007
【図６】
2006132182.tif 000008
【図７】
2006132182.tif 000009